(57)【要約】【課題】エレベーターの乗りかごの意匠の美感を損なわず、振動スピーカーの振動を効果的に伝達できる機構で乗りかご内に振動スピーカーを固定し、乗りかご内の乗客全員に対して均一な音量で放送音を届けることが可能なエレベーター装置を提供する。【解決手段】本発明に係るエレベーター装置は、天井板及び側壁を有する乗りかごと、スピーカーと、を備えたエレベーター装置において、前記スピーカーは、振動伝達面を有する振動スピーカーであり、前記天井板の下面には、前記振動スピーカーが設置され、前記振動スピーカーの前記振動伝達面には、振動板が付設され、前記振動板は、前記天井板に設けた吊り部材により固定され、前記側壁と前記振動板との間には、隙間が設けられたことを特徴とするエレベーター装置。【選択図】図２
2016023000.tif 000002
【特許請求の範囲】
【請求項１】
天井板及び側壁を有する乗りかごと、
スピーカーと、を備えたエレベーター装置において、
前記スピーカーは、振動伝達面を有する振動スピーカーであり、
前記天井板の下面には、前記振動スピーカーが設置され、
前記振動スピーカーの前記振動伝達面には、振動板が付設され、
前記振動板は、前記天井板に設けた吊り部材により固定され、
前記側壁と前記振動板との間には、隙間が設けられたことを特徴とするエレベーター装置。
【請求項２】
前記吊り部材は、前記天井板の四隅に設けられた吊り棒であることを特徴とする請求項１記載のエレベーター装置。
【請求項３】
前記吊り棒は、前記天井板と前記振動板との間隔を調整可能な構造を有することを特徴とする請求項２記載のエレベーター装置。
【請求項４】
さらに、前記天井板と前記振動スピーカーとの間に緩衝材を設けたことを特徴とする請求項１乃至３のいずれか１項に記載のエレベーター装置。
【請求項５】
さらに、前記天井板に照明器具を設けたことを特徴とする請求項１乃至３のいずれか１項に記載のエレベーター装置。
【請求項６】
前記振動板がアクリル樹脂製の板であることを特徴とする請求項１乃至３のいずれか１項に記載のエレベーター装置。
【請求項７】
前記乗りかごは、上部にかご上制御装置を有し、
前記かご上制御装置は、テールコードを介してエレベーター制御装置に接続されたことを特徴とする請求項１乃至３のいずれか１項に記載のエレベーター装置。
【発明の詳細な説明】
【技術分野】
【０００１】
本発明は、エレベーター装置に関し、特に乗りかごの天井に振動スピーカーを設置したエレベーター装置に関する。
【背景技術】
【０００２】
従来、エレベーターの乗りかご内に放送音（音声やＢＧＭ（バックグラウンドミュージック）等）を出力する場合、エレベーターのかごの上、もしくは乗りかご内の操作盤の中にスピーカーを設置して対応している。
【０００３】
上記従来のスピーカーでは、乗りかご内でのスピーカーの設置位置と乗客の位置によって、乗客への放送音の聞こえ易さが異なる場合があった。また、スピーカーからの音声をかご内に出力するための通し穴が必要となり、乗りかごの意匠の美感を損なう可能性があった。
【０００４】
放送音を出力する際に、乗客への放送音の聞こえ易さが乗りかご内のスピーカーの設置位置や乗客の位置によらず、かつ放送音をかご内に出力するための通し穴を必要としないスピーカーとして、振動スピーカーが考えられる。
【０００５】
振動スピーカーの例として、例えば特許文献１（特開２０１３‐１３８３９６号公報）がある。特許文献１には、振動スピーカーに固定又は押圧された少なくとも１つの締結プレートと、対応する締結プレートに固設された少なくとも１つの吸盤と、を含み、該吸盤が振動板に吸着されると、該吸盤は締結プレートを振動スピーカーに押し付けて、振動スピーカーの底部が振動板に密着可能となることを特徴とする振動スピーカーの固定装置が開示されている。
【０００６】
また、特許文献２（特開２００９‐１９６７９４号公報）には、昇降路内において、乗りかごとカウンタウェイトとがメインロープを介して接続され昇降移動するエレベーターであって、前記かごの床面を振動させる床面振動手段を備えることを特徴とするエレベーターが開示されている。特許文献２では、乗りかごの床面又は側板を振動スピーカーとしている。
【先行技術文献】
【特許文献】
【０００７】
【特許文献１】特開２０１３‐１３８３９６号公報
【特許文献２】特開２００９‐１９６７９４号公報
【発明の概要】
【発明が解決しようとする課題】
【０００８】
上記特許文献１の振動スピーカーは、吸盤で固定する機構であり、エレベーターに設置すると、エレベーターの振動により外れてしまう可能性がある。
【０００９】
また、特許文献２のように、乗りかごの天井面、側面又は床面自体を振動板とすると、振動スピーカーからの振動エネルギーが天井面、側面又は床面で吸収され、効果的に（高い効率で）乗りかご内の乗客に放送音を出力させることができない可能性がある。
【００１０】
したがって、本発明の目的は、上記事情に鑑み、エレベーターの乗りかごの意匠の美感を損なわず、振動スピーカーの振動を効果的に伝達できる機構で乗りかご内に振動スピーカーを固定し、乗りかご内の乗客全員に対して均一な音量で放送音を届けることが可能なエレベーター装置を提供することにある。
【課題を解決するための手段】
【００１１】
本発の一態様は、上記目的を達成するため、天井板及び側壁を有する乗りかごと、スピーカーと、を備えたエレベーター装置において、前記スピーカーは、振動伝達面を有する振動スピーカーであり、前記天井板の下面には、前記振動スピーカーが設置され、前記振動スピーカーの前記振動伝達面には、振動板が付設され、前記振動板は、前記天井板に設けた吊り部材により固定され、前記側壁と前記振動板との間には、隙間が設けられたことを特徴とするエレベーター装置を提供する。
【発明の効果】
【００１２】
本発明によれば、乗りかごのかご上（天井）や、乗りかご内の操作盤にスピーカーからの放送音を通すための通し穴を設けることなく、天井板のほぼ全面をスピーカーとすることで、乗りかご内の乗客全員に対して均一に音声を届けることができる。振動スピーカーの振動伝達面は振動板のみと接触しているので、振動スピーカーからの振動が振動板に効果的に（高い効率で）伝達される。また、天井板、振動板、振動スピーカー及び照明器具の全てが一体となった構造とすることができ、乗客の視界内に大きな通し穴を設ける必要が無く、意匠面において優れた美感を有する構造を実現できる。さらに、遊園地や映画館等のアミューズメント施設のエレベーターにおいて本発明を採用すれば、天井板のほぼ全面から音声を出力することができるため、乗客に対して迫力のある演出を行うことができる。
【図面の簡単な説明】
【００１３】
【図１】本発明に係るエレベーター装置を示す模式図である。
【図２】図１の乗りかごの模式図である。
【発明を実施するための形態】
【実施例】
【００１４】
以下、図面を参照し、本発明の実施例について詳細に説明する。
【００１５】
図１は本発明に係るエレベーター装置を示す模式図である。初めに、図１を用いてエレベーター装置の概要について説明する。図１に示すように、本発明に係るエレベーター装置１００は、乗りかご２３と、乗りかご２３の上部に設けられたかご上制御装置２２と、電源２０及び放送音記憶装置２４を有するエレベーター制御装置３０とを含む。かご上制御装置２２とエレベーター制御装置３０とは、テールコード２１を介して互いに接続されている。本発明では、乗りかご２３の天井板１１に音声信号を振動に変換する振動スピーカー１３を設ける。
【００１６】
次に、乗りかご２３への振動スピーカー１３の設置方法について詳細に説明する。図２は図１の乗りかごを示す模式図である。図２に示すように、乗りかご２３の天井板１１の下面（乗りかご２３の内側の面）に振動スピーカー１３が設置される。振動スピーカー１３は振動伝達面１７を有し、振動伝達面１７に振動板１２が付設（直接接触して設置）される。振動板１２は、天井板１１に設けた吊り部材１４により固定される。すなわち、振動スピーカー１３の振動伝達面１７を振動板１２に乗せ、天井板１１と振動板１２で振動スピーカー１３を挟み込む。このとき、振動スピーカー１３は乗りかご２３内全体に放送音を伝えるために、振動板１２の中心に乗せることが望ましい。
【００１７】
振動板１２の上面（下面）の面積は、乗りかご２３内全体に放送音を伝えるために、できるだけ大きくする（天井板１１の下面の面積と等しくする）ことが好ましいが、乗りかご２３の側壁２５と振動板１２との間には、これらが直接接触しない程度の隙間を設ける。側壁２５と振動板１２とが接触すると、振動スピーカー１３からの振動エネルギーが、乗りかご２３の側壁へ伝達して吸収されてしまい、乗りかご内に効率良く放送音を出力させることができない可能性があるためである。
【００１８】
本発明では、上記構成に加えて、天井板１１と振動板１２との間に緩衝材（緩衝板）１５を設けてもよい。このようにすることで、振動スピーカー１３からの振動が天井板１１へ伝達されることを防ぐことができ、また振動スピーカー１３と天井板１１との密着性を向上させることができる。緩衝板１５としては、振動スピーカー１３を天井板１１に密着させるものであれば特に限定は無いが、弾性体、例えばゴムが望ましい。天井板１１と緩衝板１５及び緩衝板１５と振動スピーカー１３は、接着剤で固定することが可能である。緩衝板１５を設けない場合には、天井板１１と振動スピーカー１３を接着剤で固定することが可能である。また、図２に示すように天井板１１と緩衝板１５とを別々の部品としてもよいし、天井板１１の振動スピーカー１３と接触する部分を緩衝板の材料としてもよい。
【００１９】
本実施例では、天井板１１の四隅に吊り棒１４とナット１６を通し、吊り棒１４に振動板１２を固定している。振動スピーカー１３からの振動を効果的に振動板１２に伝達させるため、振動板１２の固定箇所は、振動スピーカー１３から最も離れた位置である振動板１２の四隅に設けることが好ましい。固定箇所（固定部）の数は、振動板１２が安定して固定できる必要最小限の個数とするために４箇所が望ましい。これにより、固定部における振動エネルギーの吸収を最小にすることができる。振動板１２と吊り棒１４は外れないように少なくとも接着剤で固定する。吊り棒１４にネジ山を設ければ、ナット１６によって天井板１１との間の間隔を調整しながら、振動スピーカー１３を挟んで振動板１２を固定することができる。
【００２０】
従来のスピーカーでは、乗りかご内の乗客全員に対して均一な音量の放送音を届けるためには、スピーカーからの放送音を通すための通し穴（５ｃｍ角程度）を天井板１１の中央に設ける必要があったが、本発明では天井板の四隅に、前述した通し穴よりも小さい（直径２ｃｍ程度）の通し穴を設ければよいので、乗りかごの意匠の美感の低下を防ぐことができる。
【００２１】
本発明では、天井板１１に照明器具１０を設けてもよい。振動板１２の材質としては、特に限定は無いが、透明なアクリル樹脂製の板とすれば、振動を伝達しやすく、かつ照明器具１０の照明が振動板１２で遮られないので好ましい。このとき、振動板１２は照明器具１０のカバーとなる。
【００２２】
本発明では、放送音記憶装置２４に格納された放送音の信号が、テールコード２１及びかご上制御装置２２を介して振動スピーカー１３に伝達され、振動スピーカー１３が、この放送音の信号を振動として振動板１２に伝達する。振動板１２に伝達された振動は、空気を介して放送音となり、乗りかご２３内に放送音を放送する。
【００２３】
以上、説明したように、本発明によれば、上記のような構造とすることで、乗りかご２３の天井板１１のほぼ全面をスピーカーとすることができ、乗りかご内の乗客全員に対して均一な音量の放送音を届けることができる。また、振動スピーカー１３の振動伝達面１７が振動板１２に直接接触しているため、振動伝達面１７からの振動を振動板１２に効率良く伝達することができる。振動板１２と乗りかご２３の側壁２５との間に、これらが直接接触しない程度の隙間を設ければ、振動が乗りかご壁面に伝達されて吸収されることが無く、振動板のみに伝達されるので、振動スピーカーからの振動を高い効率で放送音として出力することができる。また、天井板１１、振動板１２、照明器具１０及び振動スピーカー１３が一体となった構造とすることができ、意匠性に優れたエレベーター装置を提供することができる。
【００２４】
なお、上述した実施形態や実施例は、本発明の理解を助けるために説明したものであり、本発明は、上述した具体的な構成のみに限定されるものではない。例えば、ある実施例の構成の一部を他の実施例の構成に置き換えることが可能であり、また、ある実施例の構成に他の実施例の構成を加えることも可能である。すなわち、本発明は、本明細書の実施形態や実施例の構成の一部について、削除・他の構成に置換・他の構成の追加をすることが可能である。
【符号の説明】
【００２５】
１０…照明器具、１１…天井板、１２…振動板、１３…振動スピーカー、１４…吊り棒、１５…緩衝板、１６…ナット、１７…振動伝達面、２０…電源、２１…テールコード、２２…かご上制御装置、２３…乗りかご、２４…放送音記憶装置、２５…乗りかごの側壁、３０…エレベーター制御装置、１００…エレベーター装置。
【図１】
2016023000.tif 000003
【図２】
2016023000.tif 000004